(57)【要約】【課題】組立式の額縁であって板バネを用いることなく、額縁フレームを前面開閉式とすることによって絵画等の用紙や透明板を取り替える作業を容易かつ迅速に行うことができる額縁フレームを提供する。【解決手段】各コーナー基板の上面に各コーナー基台の本体及び両脚部を合致した状態で各基台フレームの溝部に挿着してネジで固定する構造を有し、各コーナー基台の上部に設けられた案内突部に対して各スライドキャップの下部に設けられた案内凹溝が額縁の対角線方向に摺動自在に嵌合すると共に、各コーナー基台の上部の対角線方向の外端部に形成された立上げ側片が各スライドキャップの案内凹溝に嵌合されて案内されることにより各スライドキャップを額縁の対角線方向の外側に移動可能とし、各スライドキャップの案内凹溝の途中に形成された段部に各コーナー基台の立上げ側片が当接することによって各スライドキャップの外側への移動を途中で停止させる。【選択図】図１
2011098023.tif 000002
【特許請求の範囲】
【請求項１】
額縁に設けられた裏板の各辺を挟持する基台フレームと、各基台フレームの外側上部に沿って設けられたヒンジ部に開閉自在に枢設された上装フレームと、各基台フレームの上部にて長手方向に形成された溝部に摺動自在に嵌合された弾性係止部材と、各コーナーにおいて双方の基台フレームの端部を互いに連結するコーナー継手として配設されたＬ型コーナー基板と、各コーナー基板の上面に固定される両脚部を有するコーナー基台と、各コーナー基台の上面に沿って各コーナーの対角線方向に移動するスライドキャップとを有する額縁フレームにおいて、
各コーナー基板の上面に各コーナー基台の本体及び両脚部を合致した状態で各基台フレームの溝部に挿着してネジで固定する構造を有し、
各コーナー基台の上部に設けられた案内突部に対して各スライドキャップの下部に設けられた案内凹溝が額縁の対角線方向に摺動自在に嵌合すると共に、各コーナー基台の上部の対角線方向の外端部に形成された立上げ側片が各スライドキャップの案内凹溝に嵌合されて案内されることにより各スライドキャップを額縁の対角線方向の外側に移動可能とし、各スライドキャップの案内凹溝の途中に形成された段部に各コーナー基台の立上げ側片が当接することによって各スライドキャップの外側への移動を途中で停止させるようにしたことを特徴とする額縁フレーム。
【請求項２】
各基台フレームの上部にて長手方向に形成された溝部に摺動自在に嵌合された弾性係止部材は、各基台フレームの溝部に嵌合される基台部と、該基台部の上部に立上げられると共に各基台フレームの外方へ湾曲した弾性湾曲部とからなり、
各基台フレームの外側上部に沿って湾曲形成されたヒンジ部に各上装フレームの下部に形成された支持アームの湾曲凹部が回動自在に枢設されると共に、各支持アームの湾曲凹部の反対側に内方突部が形成され、
各基台フレームのヒンジ部に枢設された上装フレームの支持アームを弾性係止部材の湾曲面で押さえ、
上装フレームを途中まで開いたとき支持アームの内方突部が弾性係止部材の湾曲面に嵌合することによって上装フレームを斜めに開いた状態に係止し、
上装フレームを閉じたとき支持アームの内方突部が弾性係止部材の下側部を押圧することによって上装フレームを閉じた状態を弾性的に保持し、該上装フレームの内端に沿って形成された押え片で裏板の上面に載置した絵画等の用紙及び透明板を押圧保持するようにしたことを特徴とする請求項１記載の額縁フレーム。
【発明の詳細な説明】
【技術分野】
【０００１】
本発明は、組立式の額縁フレームであって、額縁のコーナーにコーナー継手を有する各フレームを前面開閉式とすることによって絵画、書画、写真、ポスター等の用紙の取替えを額縁の前面から行うようにした額縁フレームに関する。
【背景技術】
【０００２】
従来の組立式額縁には、額縁の四辺をなす各フレームを前方へ開くことによって絵画等の取替えを額縁の前面から行うようにした前面開閉式の額縁フレームが開発されている。その具体例として、特許文献１の額縁を参照すると、額縁の四辺に配した各フレームは基体部と装飾可動部とからなり、各基体部は額縁の各コーナーにおいてＬ字型の固定エルボをネジで固定することによって結合される。また、各基体部に対して装飾可動部が前面に開閉される構造を有している。
【０００３】
ところが、上記の特許文献１の額縁においては、装飾可動部の開閉状態を板バネの弾性力で支持するという構造を有しているため、板バネの取付け作業が面倒であり、板バネのきしみ音が発生する等の不都合があった。また、装飾可動部は、額縁の各コーナーにおいて、最内部の角と最外部の角とからなる角線を有する構成とされ、装飾可動部を閉じた際に各コーナーの角線を綺麗に一致させることが困難であった。さらに、各装飾可動部の最内部の端部において鋭利に尖った部分を有し、指先を傷つけるおそれがあった。
【０００４】
また、特許文献２の額縁においても、各辺の額縁フレームは、上部フレームが開閉自在に構成され、絵画等を前面側から交換することが可能とされている。また、額縁の各コーナー部にコーナー継手を配設することによって特許文献１のような鋭利に尖った部分が生じない構造とし、各辺の上部フレームを閉じた際にも綺麗な外観を呈するようにしている。また、特許文献２の額縁は、特許文献１のように装飾可動部の開閉状態を板バネの弾性力で支持するという構造を廃し、下部フレームに嵌合したストッパピースに上部フレームのストッパ係止片を係止させる構造とすることによって、上部フレームを閉じた状態を保持するようにしている。
【先行技術文献】
【特許文献】
【０００５】
【特許文献１】特開２００３−１３５２３１号公報
【特許文献２】特開２００５−１６８９４５号公報
【発明の概要】
【発明が解決しようとする課題】
【０００６】
本発明は、上記構成の額縁をさらに改良したものであり、組立式の額縁であって板バネを用いることなく、額縁フレームを前面開閉式とすることによって絵画等の用紙や透明板を取り替える作業を容易かつ迅速に行うことができる額縁フレームを提供することを目的とする。
【課題を解決するための手段】
【０００７】
上記の問題を解決するために、本発明における請求項１の額縁フレームは、額縁に設けられた裏板の各辺を挟持する基台フレームと、各基台フレームの外側上部に沿って設けられたヒンジ部に開閉自在に枢設された上装フレームと、各基台フレームの上部にて長手方向に形成された溝部に摺動自在に嵌合された弾性係止部材と、各コーナーにおいて双方の基台フレームの端部を互いに連結するコーナー継手として配設されたＬ型コーナー基板と、各コーナー基板の上面に固定される両脚部を有するコーナー基台と、各コーナー基台の上面に沿って各コーナーの対角線方向に移動するスライドキャップとを有する額縁フレームにおいて、各コーナー基板の上面に各コーナー基台の本体及び両脚部を合致した状態で各基台フレームの溝部に挿着してネジで固定する構造を有し、各コーナー基台の上部に設けられた案内突部に対して各スライドキャップの下部に設けられた案内凹溝が額縁の対角線方向に摺動自在に嵌合すると共に、各コーナー基台の上部の対角線方向の外端部に形成された立上げ側片が各スライドキャップの案内凹溝に嵌合されて案内されることにより各スライドキャップを額縁の対角線方向の外側に移動可能とし、各スライドキャップの案内凹溝の途中に形成された段部に各コーナー基台の立上げ側片が当接することによって各スライドキャップの外側への移動を途中で停止させるようにしたことを特徴とする。
【０００８】
また、本発明の請求項２の額縁フレームは、請求項１において、各基台フレームの上部にて長手方向に形成された溝部に摺動自在に嵌合された弾性係止部材は、各基台フレームの溝部に嵌合される基台部と、該基台部の上部に立上げられると共に各基台フレームの外方へ湾曲した弾性湾曲部とからなり、各基台フレームの外側上部に沿って湾曲形成されたヒンジ部に各上装フレームの下部に形成された支持アームの湾曲凹部が回動自在に枢設されると共に、各支持アームの湾曲凹部の反対側に内方突部が形成され、各基台フレームのヒンジ部に枢設された上装フレームの支持アームを弾性係止部材の湾曲面で押さえ、上装フレームを途中まで開いたとき支持アームの内方突部が弾性係止部材の湾曲面に嵌合することによって上装フレームを斜めに開いた状態に係止し、上装フレームを閉じたとき支持アームの内方突部が弾性係止部材の下側部を押圧することによって上装フレームを閉じた状態を弾性的に保持し、該上装フレームの内端に沿って形成された押え片で裏板の上面に載置した絵画等の用紙及び透明板を押圧保持するようにしたことを特徴とする。
【発明の効果】
【０００９】
本発明によれば、額縁フレームを組み立てる際、額縁の各コーナーにおいて、各コーナー基板の上面に各コーナー基台の本体及び両脚部を合致した状態で各基台フレームの溝部に挿着してネジで固定することにより、各基台フレームの連結を容易かつ確実に行うことができる。
【００１０】
また、上記のように各基台フレームを連結すると共に、各基台フレームに上装フレームを開閉自在に枢設した構造とすることができる。このような構造において、上装フレームを閉じたとき、支持アームの内方突部が弾性係止部材の下側部を押圧することによって、支持アームを額縁の内側に押圧する結果、上装フレームの内端に沿って形成された押え片で裏板の上面に載置した絵画等の用紙や透明板を弾性的に押圧し保持することが可能となる。
【００１１】
また、額縁の裏板の上面に載置した絵画等の用紙を取り替える際には、各上装フレームを開き、スライドキャッチを額縁の対角線方向へ停止するまでワンタッチで移動することによって、絵画等の用紙及び透明板の各角部がスライドキャッチの角部に当たることなく取り替え可能となる。
【００１２】
さらに、上装フレームを途中まで開いたとき支持アームの内方突部が弾性係止部材の湾曲面に嵌合することによって上装フレームを斜めに開いた状態に係止することができ、この状態で絵画等の用紙を容易に取替えることが可能となる。また、このように上装フレームを途中まで開いた状態にしたとき、額縁フレームを前方から見ると、各上装フレームがほぼ閉じた状態に見え、この状態で絵画等の用紙の取付け状態を確認して取り替えることが可能となる。
【図面の簡単な説明】
【００１３】
【図１】本発明による実施例の額縁フレームにおいて２辺の上装フレームを開き、他の２辺の上装フレームを閉じた状態を示す全体平面図である。
【図２】本発明による実施例の額縁フレームにおいて基台フレームと上装フレームと弾性係止部材との組立て状態を示す断面図であり、(ａ)は上装フレームを最大限に開いた状態を示し、（ｂ）は上装フレームを斜め途中まで開いた状態を示し、（ｃ）は上装フレームを閉じた状態を示す。
【図３】本発明による実施例の額縁フレームにおいて弾性係止部材を示す図であり、(ａ)は上面図、（ｂ）は側面図、（ｃ）は斜視図である。
【図４】本発明による実施例の額縁フレームのコーナー周辺を示す分解斜視図である。
【図５】本発明による実施例の額縁フレームのコーナー周辺を示す分解斜視図であり、Ｌ型コーナー基板とコーナー基台とを一体にした状態を示す。
【図６】本発明による実施例の額縁フレームのコーナー周辺を示す分解斜視図であり、Ｌ型コーナー基板とコーナー基台とスライドキャップとを一体にした状態を示す。
【図７】本発明による実施例の額縁フレームのコーナー周辺を示す組立完成後の斜視図であり、各上装フレームは開いた状態とし、スライドキャップは対角線の外方向にスライドした状態としてある。
【図８】本発明による実施例の額縁フレームのコーナー周辺を示す組立完成後の斜視図である。
【図９】(ａ)は本発明による実施例の額縁フレームにおけるＬ型コーナー基板の平面図であり、（ｂ）はＬ型コーナー基板にコーナー基台を取付けた状態であってスライドキャップを閉じた状態を示し、（ｃ）はスライドキャプをスライドした状態を示す。
【図１０】(ａ)は本発明による実施例の額縁フレームにおけるスライドキャプを内側から見た側面図、（ｂ）は外側から見た側面図、（ｃ）はスライドキャップの下面図である。
【図１１】本発明による実施例の額縁フレームにおけるコーナー基台にスライドキャップを取付けた状態を示す断面図である。
【発明を実施するための形態】
【００１４】
以下、本発明の実施例について図面を参照しながら説明する。
【実施例】
【００１５】
本実施例の額縁フレーム１は、図１に示すように、額縁の裏板２の各辺を挟持する基台フレーム３と、各基台フレーム３の外側上部に沿って設けられたヒンジ部４（図２（ａ）〜(ｃ)参照）に開閉自在に枢設された上装フレーム５と、各基台フレーム３の上部にて長手方向に形成された溝部６に摺動自在に嵌合された弾性係止部材７と、各コーナーにおいて双方の基台フレーム３の端部を互いに連結するコーナー継手として配設されたＬ型コーナー基板８（図４参照）と、各コーナー基板８の上面に固定される両脚部９ａ、9ａを有するコーナー基台９と、各コーナー基台９の上面に沿って各コーナーの対角線方向に移動するスライドキャップ１０とを有する。
【００１６】
上記の額縁フレーム１の構成について詳細に説明すると、基台フレーム３は、図１に示すように額縁の四辺に配設された長尺部材により構成されている。各基台フレーム３の素材としては、軽量かつ剛性の強いアルミニウム等を使用するのが望ましい。
【００１７】
また、各基台フレーム３の断面形状は、図２（ａ）〜（ｃ）に示すように、基台フレーム３の長手方向に沿って立上片１１が形成され、この立上片１１の内側（図２（ａ）〜(ｃ)各図の右側）に基台フレーム３の長手方向に沿って額縁の裏板２を挟持する上下の挟持片１２ａ、１２ｂが形成されている。また、立上片１１の外側（図２（ａ）〜（ｃ）各図の左側）には基台フレーム３の長手方向に沿って設けられた溝部６を介して外側片１３が立設されている。
【００１８】
基台フレーム３の溝部６は立上片１１と外側片１３の間に設けられ、溝部６の所定高さにて内側に対向形成された左右の係止片１４ａ、１４ｂを有し、左右の係止片１４ａ、１４ｂの間は上方が開口された構成とされている。また、外側片１３の上部には係止片１４ａの外側に延長して上方内側へ湾曲形成されてなるヒンジ部４が形成され、該ヒンジ部４の先端は断面円弧形に形成されている。なお、図１に示すように、各基台フレーム３には各端部付近に掛止穴２８が形成され、夫々の掛止穴２８にヒモ等の掛止具を掛けて壁等に吊すことが可能とされている。
【００１９】
さらに、図２（ａ）〜(ｃ)に示すように、基台フレーム３のヒンジ部４に開閉自在に枢設された上装フレーム５は、長尺方向に各基台フレーム３と同等の長さを有するものとされている（図１参照）。
【００２０】
各上装フレーム５の断面形状は、図２（ａ）〜(ｃ)に示すように、基台フレーム３を覆う幅広であって上方に湾曲した円弧状に形成され、その外端下方に折曲形成された垂下片１５を有すると共に、上装フレーム５の内端に沿って下方に湾曲形成された押え片１６を有し、該押え片１６の下端は内側に折り返された止め片１６ａが形成されている。
【００２１】
また、図２（ａ）〜（ｃ）に示すように、上装フレーム５の下部には斜め下方に形成された支持アーム１７が形成され、支持アーム１７の下部は外方へ湾曲した嵌合凹部１７ａが形成され、この嵌合凹部１７ａが基台フレーム３のヒンジ部４を回動自在に嵌合することによって、上装フレーム５を開閉自在としている。さらに、支持アーム１７の嵌合凹部１７ａの反対側には内方突部１８が形成されている。
【００２２】
さらに、図１に示すように、各基台フレーム３の溝部６には少なくとも２個の弾性係止部材７が摺動自在に嵌合されている。各弾性係止部材７は、図２（ａ）〜(ｃ)又は図３（ａ）〜(ｃ)に示すように、基台フレーム３の溝部６の底面と左右の係止片１４ａ、１４ｂとの間に挟持された状態で溝部６の長手方向に嵌合される基台部１９と、該基台部１９の上面に立ち上げられると共に基台フレーム３の外方へ湾曲した弾性湾曲部２０とから構成されている。なお、弾性湾曲部２０の先端部の離間位置に２個の突起２０ａ、２０ａが形成されている。
【００２３】
このような構成において、図２（ａ）に示すように、基台フレーム３のヒンジ部４に上装フレーム５の支持アーム１７に設けられた湾曲凹部１７ａを回動自在に枢設すると共に、支持アーム１７を弾性係止部材７の湾曲面７ａで押えることにより、上装フレーム５の支持アーム１７が基台フレーム３のヒンジ部４から離脱することなく、上装フレーム５がヒンジ部４の周りを回動して開閉動作を行うことが可能となる。
【００２４】
上記の構成により、図２（ａ）に示すように上装フレーム５を完全に開いたときは、上装フレーム５の垂下片１５が基台フレーム３の外側片１３に当接することによって、所定の開度を保つことが可能となる。また、図２(ｂ)に示すように、上装フレーム５を途中まで開いたときは、支持アーム１７の内方突部１８が弾性係止部材７の湾曲面７ａに嵌合することによって上装フレーム５を斜めに開いた状態に係止することが可能となる。
【００２５】
さらに、図２(ｃ)に示すように、上装フレーム５を閉じたときは、支持アーム１７の内方突部１８が弾性係止部材７の下側部７ｂを押圧することによって上装フレーム５を閉じた状態を弾性的に保持することが可能となり、上装フレーム５の内端に沿って形成された押え片１６の下端部である止め片１６ａで裏板２の上面に載置した絵画等の用紙２１及び透明板２２を押圧保持することが可能となる。
【００２６】
一方、本実施例の額縁フレーム１は、各コーナーにおいて、図４に示すＬ型コーナー基板８によって双方の基台フレーム３、３の端部を互いに連結することができる。このコーナー基板８は、Ｌ型の金属板からなり、図４又は図9（ａ）に示すように、角部に円弧形に突出した外周部８ｂを有し、両側の直角方向に両脚部８ａ、８ａが形成され、夫々の脚部８ａ、８ａには離間位置に雌ネジを有する２個のネジ穴８ｃ、８ｄが形成されている。
【００２７】
また、図４に示すように、コーナー基台９の本体は全体の平面形状が直角方向に２辺９ｂ、９ｂを有する扇形に形成され、各直角２辺９ｂ、９ｂの角部には凹部９ｃが形成されたことにより、角部を取った形状とされている。また、直角２辺９ｂ、９ｂ以外の外形は円弧形外周９ｄに形成され、直角２辺９ｂ、９ｂのそれぞれには互いに直角方向に両脚部９ａ、９ａが形成されると共に、それぞれの脚部９ａ、９ａにはネジ２３（図7参照）を挿通するための貫通状のネジ穴９ｅ、９ｅが形成されている。
【００２８】
図５に示すように、上記のコーナー基台９をコーナー基板８の上面に載置すると、コーナー基台９の両脚部９ａ、９ａの各ネジ穴９ｅ、９ｅがコーナー基板８の角部に近いそれぞれのネジ穴８ｃ、８ｃに合致する。なお、図９(ｂ)に示すように、コーナー基台９の下面には円弧形台部９ｆが形成され、この円弧形台部９ｆにコーナー基板８の円弧形の外周部８ｂを当接することによって位置決めすることができる。
【００２９】
図６は、上記のコーナー基台９の上部に後述するスライドキャップ１０を嵌合した状態を示す。この図６に示すようにコーナー基板８の上面にコーナー基台９を上載することによって、コーナー基板８の両脚部８ａ、８ａにコーナー基台９の両脚部９ａ、９ａを合致した状態で各基台フレーム３、３の溝部６、６に挿着することが可能となる。そして、図7に示すようにスライドキャップ１０に近い側の上下のネジ穴８ｃ、９ｅにネジ２３を締めて固定すると共に、スライドキャップ１０から遠い側の各ネジ穴８ｄ、８ｄにネジ２３を締めることによって、各コーナーにおける双方の基台フレーム３、３が連結固定された状態となる。
【００３０】
さらに、図４又は図１１に示すように、コーナー基台９の上部に形成された左右一対の案内突部２４、２４は、額縁の対角線方向に案内軌道を有するように両側上部に突出部２４ａ、２４ａを形成した形状とされている。また、各コーナー基台９の上部の対角線方向の外端部にはコーナー基台９の円弧形に倣うように円弧形の立上げ側片２５が形成されている。
【００３１】
一方、スライドキャップ１０は、図１０（ａ）〜(ｃ)に示すように、コーナー基台９の平面形状に合致するように直角２辺１０ａ、１０ａと円弧形外周１０ｂを有する扇形に形成され、上面１０ｃが湾曲状に膨出した形状とされている。ただし、スライドキャップ１０の角部１０ｄはコーナー基台９のように凹部９ｃが形成されず、直角２辺１０ａ、１０ａがそのまま角部１０ｄとして形成されている。
【００３２】
また、スライドキャップ１０の下部は、図１０(ｃ)に示すように、案内凹溝２６が形成されている。この案内凹溝２６の両側下端部には係止突部２６ａ、２６ａが形成され（図１０(ｂ)又は図１１参照）、これらの係止突部２６ａ、２６ａが、図１１に示すように、コーナー基台９の案内突部２４、２４の突出部２４ａ、２４ａに嵌合されたことにより、図６又は図７或いは図９(ｂ)及び(ｃ)に示すように、スライドキャップ１０を額縁の対角線方向に摺動自在に移動することが可能となる。
【００３３】
また、図１０(ｂ)、(ｃ)に示すように、スライドキャップ１０の案内凹溝２６に沿って該スライドキャップ１０の円弧形外周１０ｂを貫通形成した外周凹部１０ｅが形成され、図６に示すように、コーナー基台９の立上げ側片２５が各スライドキャップ１０の案内凹溝２６に嵌合されて案内されると共に、立上げ側片２５がスライドキャップ１０の外周凹部１０ｅに嵌合されることにより、図６又は図９(ｂ)に示すように、スライドキャップ１０の円弧形外周１０ｂとコーナー基台９の円弧形外周９ｄが合致した形状となる。
【００３４】
さらに、図１０(ｃ)に示すようにスライドキャップ１０の案内凹溝２６の両側の途中には段部２７、２７が形成されている。この段部２７、２７は案内凹溝２６の両側の係止突部２６ａ、２６ａを途中で切った形状とすることにより形成されたものである。そして、図９(ｂ)、(ｃ)に示すように、スライドキャップ１０を外側へ移動する際、段部２７、２７に各コーナー基台９の立上げ側片２５が当接することによってスライドキャップ１０の移動を停止させることが可能となる。
【００３５】
なお、図１０(ｃ)に示すように、スライドキャップ１０の下面の両側部には凹部２９ａ、２９ａが形成されている。これは、図４等に示すコーナー基台９の上面の両側部に設けられた突起９ｆ、９ｆに対応するものであり、図６に示すように、スライドキャップ１０を額縁の対角線方向に移動してコーナー基台９に合致したとき、スライドキャップ１０の凹部２９ａ、２９ａとコーナー基台９の突起９ｆ、９ｆが互いに嵌合して位置決めを行うことができる。
【００３６】
上記の構成により、額縁の裏板２の上面に載置した絵画等の用紙２１を取り替える際には、図7に示すように、各上装フレーム５を開いた状態にすると共に、スライドキャップ１０を額縁の対角線方向の外側にワンタッチで停止するまで引くことによって、スライドキャップ１０の角部１０ｄが絵画等の用紙２１や透明板２２の角部に当たることがなく、絵画等の用紙２１や透明板２２の取替えの邪魔とならずに取替え作業を容易に行うことが可能となる。
【００３７】
また、絵画等の用紙２１を取り替えて透明板２２を取付けた後、図8に示すように、スライドキャップ１０を額縁の対角線方向に内側に停止するまで移動すると共に、各上装フレーム５を閉じることによって、図２(ｃ)に示すように、該上装フレーム５の内端の押え片１６が絵画等の用紙２１及び透明板２２を弾性的に押さえ付けて保持することが可能となる。
【００３８】
さらに、各上装フレーム5を閉じると共に、スライドキャップ１０を額縁の内方へ移動することにより閉じた状態にしたとき、スライドキャップ１０の直角２辺１０ａ、１０ａが各上装フレーム５、５の端辺５ａ、５ａと正確に当たることによって各コーナーの外観を綺麗に収めることが可能となる。
【産業上の利用可能性】
【００３９】
本発明の額縁フレームは、組立式の額縁であって板バネを用いることなく、額縁フレームを前面開閉式とすることによって絵画等の用紙や透明板を取り替える作業を容易かつ迅速に行うことができる額縁フレームとして利用可能である。
【符号の説明】
【００４０】
１  額縁フレーム
２  裏板
３  基台フレーム
４  ヒンジ部
５  上装フレーム
５ａ  端辺
６  溝部
７  弾性係止部材
７ａ  湾曲面
７ｂ  下側部
８  コーナー基板
８ａ、８ａ  コーナー基板の両脚部
８ｂ  外周部
８ｃ、８ｄ  ネジ穴
９  コーナー基台
９ａ、９ａ  コーナー基台の両脚部
９ｂ、９ｂ  直角２辺
９ｃ  凹部
９ｄ  円弧形外周
９ｅ  ネジ穴
９ｆ  円弧形台部
１０  スライドキャップ
１０ａ、１０ａ  直角２辺
１０ｂ  円弧形外周
１０ｃ  上面
１０ｄ  角部
１０ｅ  外周凹部
１１  立上片
１２ａ、１２ｂ  上下の挟持片
１３  外側片
１４ａ、１４ｂ  左右の係止片
１５  垂下片
１６  押え片
１６ａ  止め片
１７  支持アーム
１７ａ  嵌合凹部
１８  内方突部
１９  基台部
２０  弾性湾曲部
２０ａ  突起
２１  用紙
２２  透明板
２３  ネジ
２４  案内突部
２４ａ  突出部
２５  立上げ側片
２６  案内凹溝
２６ａ  係止突部
２７  段部
２８  掛止穴
【図１】
2011098023.tif 000003
【図２】
2011098023.tif 000004
【図３】
2011098023.tif 000005
【図４】
2011098023.tif 000006
【図５】
2011098023.tif 000007
【図６】
2011098023.tif 000008
【図７】
2011098023.tif 000009
【図８】
2011098023.tif 000010
【図９】
2011098023.tif 000011
【図１０】
2011098023.tif 000012
【図１１】
2011098023.tif 000013